(57)【特許請求の範囲】
【請求項１】
調整可能携帯デバイス保持器であって、
調整可能クランプ要素と、
回転可能取り付け要素と
を含み、
前記調整可能クランプ要素は、複数の異なるサイズの携帯デバイスの一つを前記調整可能携帯デバイス保持器に取り外し可能に固定するべくアクティブ状態への偏り及び非アクティブ状態への偏り解除が可能であり、
前記調整可能クランプ要素は、互いに対向して配向された２つの側方把持部を含み、
各側方把持部は、前記調整可能クランプ要素の前記アクティブ状態において、一携帯デバイスに当接係合するデバイス係合面を有し、
前記２つの側方把持部は、前記調整可能クランプ要素の前記アクティブ状態及び前記非アクティブ状態間の遷移時に互いに対して直線的に並進し、
前記調整可能クランプ要素はさらに、少なくとも一つのロッド及び少なくとも一つのばねを含み、
前記ばねは各一つが、各ロッドまわりに挿入されて、対応するロッドの一端に固着されたねじによって所定位置に保持され、
前記回転可能取り付け要素は、前記回転可能取り付け要素に対する前記調整可能クランプ要素の３６０度の時計回り及び反時計回りの回転を許容する回転接続によって前記調整可能クランプ要素に付着され、
前記回転可能取り付け要素は、互いから一定距離だけ離間して互いに向かって収束する一対の取り付けアームを含み、
各取り付けアームが前記回転可能取り付け要素の底面から離れて一定角度に延びることにより、前記一対の取り付けアームの間に取り付けスロットが形成され、
前記回転接続により前記取り付けスロットが、３６０度の回転全体にわたって前記調整可能クランプ要素に対する様々な配向に位置決めされ、
前記取り付けスロットは、前記回転可能取り付け要素が取り付けられる対象に対し、前記回転接続に基づく異なる位置に配向可能である調整可能携帯デバイス保持器。
【請求項２】
前記取り付けスロットの幅が、前記回転可能取り付け要素の底面から離れて細くなり、
前記回転接続は、前記取り付けスロットを、垂直及び水平に配向された複数の取り付け面との択一的係合を目的として、２つの１８０度離間した垂直配向及び２つの１８０度離間した水平配向に解除可能に設定することができる請求項１に記載の調整可能携帯デバイス保持器。
【請求項３】
前記取り付け面は自動車内の空調器通気孔ブレードである請求項２に記載の調整可能携帯デバイス保持器。
【請求項４】
前記取り付けアームはそれぞれが、前記回転可能取り付け要素の底面から離れて細くなる請求項１に記載の調整可能携帯デバイス保持器。
【請求項５】
前記取り付けアームは、把持材料から形成された把持面を含む請求項１に記載の調整可能携帯デバイス保持器。
【請求項６】
前記把持材料は、ゴム、ポリマー材料、プラスチック、金属、合金及び複合材料からなる群から選択された少なくとも一つの材料である請求項５に記載の調整可能携帯デバイス保持器。
【請求項７】
前記把持面はざらざらである請求項５に記載の調整可能携帯デバイス保持器。
【請求項８】
前記ばねは、前記調整可能クランプ要素を前記アクティブ状態へと偏らせるべく、適用される拡張力によって負荷がかけられ得る請求項１に記載の調整可能携帯デバイス保持器。
【請求項９】
前記調整可能クランプ要素は、把持材料から形成された把持面を含む請求項１に記載の調整可能携帯デバイス保持器。
【請求項１０】
前記携帯デバイスはスマートフォンである請求項１に記載の調整可能携帯デバイス保持器。
【請求項１１】
前記回転可能取り付け要素は、ねじによって前記調整可能クランプ要素に付着される請求項１に記載の調整可能携帯デバイス保持器。
【請求項１２】
前記回転可能取り付け要素は、ラチェットデバイスによって前記調整可能クランプ要素に付着される請求項１に記載の調整可能携帯デバイス保持器。
【請求項１３】
前記回転可能取り付け要素は、ピンによって前記調整可能クランプ要素に付着される請求項１に記載の調整可能携帯デバイス保持器。
【請求項１４】
前記回転可能取り付け要素は、前記調整可能クランプ要素に摩擦嵌めされる請求項１に記載の調整可能携帯デバイス保持器。
【請求項１５】
前記回転可能取り付け要素は、互いから一定距離だけ離間して互いに向かって収束する第２の一対の取り付けアームを含み、
各取り付けアームが前記回転可能取り付け要素の底面から離れて一定角度に延びることにより、前記第２の一対の取り付けアームの間に取り付けスロットが形成され、
前記一対の取り付けアームの自由端間隙は、前記第２の一対の取り付けアームの自由端間隙と同じである請求項１に記載の調整可能携帯デバイス保持器。
【請求項１６】
前記一対の取り付けアームの間の自由端間隙は、前記一対の取り付けアームと前記第２の一対の取り付けアームとの自由端間隙と異なる請求項１５に記載の調整可能携帯デバイス保持器。
【請求項１７】
調整可能携帯デバイス保持器であって、
調整可能クランプ要素と、
回転可能取り付け要素と
を含み、
前記調整可能クランプ要素は、複数の異なるサイズの携帯デバイスの一つを前記調整可能携帯デバイス保持器に取り外し可能に固定するべくアクティブ状態への偏り及び非アクティブ状態への偏り解除が可能であり、
前記調整可能クランプ要素は、互いに対向して配向された２つの側方把持部を含み、
前記回転可能取り付け要素は、前記回転可能取り付け要素に対する前記調整可能クランプ要素の３６０度の時計回り及び反時計回りの回転を許容する回転接続によって前記調整可能クランプ要素に付着され、
前記回転可能取り付け要素は、互いから一定距離だけ離間して互いに向かって収束する第１対及び第２対の取り付けアームを含み、
各取り付けアームが前記回転可能取り付け要素の底面から離れて一定角度に延びることにより、前記第１対の取り付けアームの間に第１取り付けスロットが形成され、かつ、前記第２対の取り付けアームの間に第２取り付けスロットが形成され、
前記第１対の取り付けアームの第１自由端間隙は、前記第２対の取り付けアームの第２自由端間隙と同じであり、
前記第１自由端間隙は、前記第１対の取り付けアームと前記第２対の取り付けアームとの自由端間隙と異なる調整可能携帯デバイス保持器。
【発明の詳細な説明】
【技術分野】
【０００１】
本願は、調整可能携帯デバイス保持器に関する。
【０００２】
関連出願の相互参照
本願は、２０１３年５月１７日に出願された発明の名称「調整可能携帯デバイス保持器」の米国特許出願第１３／８９７，０６２号の利益を主張する。これはその全体がここに参照として組み入れられる。
【背景技術】
【０００３】
様々な電子及び他のデバイスの取り付け台が、業界において知られている。入手可能なデバイス取り付け台には多くの欠点がある。例えば、吸着カップ式取り付け台は、大きくかさばるのが典型的であり、フロントガラスのような大きな取り付け面を必要とする。デバイス取り付け台は、取り付け面への適切かつ一貫した付着ができない場合が多い。いくつかのデバイス取り付けソリューションは、車両ダッシュボードに取付台を固定する接着剤を必要とし、経年的に摩耗して当該取り付け面に不快な残留物を残す。現行のデバイス取り付け台はまた、広範なデバイス又は取り付け面を有効に収容することもできない。
【０００４】
現在入手可能なデバイス取り付け台の欠陥ゆえに、人々は、電子デバイス取り付け台を使用しないことを選択するので、国及び州のハンズフリー運転法に違反する場合が多い。他の国及び州の法律は、運転者の視界の妨げを防止するべく、フロントガラスへの物体の取り付けを禁止している。
【０００５】
本明細書は、改善された携帯デバイス保持器のシステム、及びその製造方法に関する。
【先行技術文献】
【特許文献】
【０００６】
【特許文献１】米国特許第６，４４１，８７２号明細書
【特許文献２】米国特許第７，０８０，８１２号明細書
【特許文献３】米国特許出願公開第２００８／０１９０９７８号明細書
【特許文献４】米国特許第６，１０３，２０１号明細書
【特許文献５】米国特許第７，２８４，７３７号明細書
【特許文献６】米国特許第５，１０９，４１１号明細書
【特許文献７】米国特許第５，３３８，２５２号明細書
【特許文献８】米国特許出願公開第２０１４／００９７３０６号明細書
【特許文献９】米国特許出願公開第２０１０／００１９０５９号明細書
【特許文献１０】米国特許第７，１４０，５５３号明細書
【特許文献１１】米国特許出願公開第２０１１／０２７８８８５号明細書
【発明の概要】
【０００７】
調整可能携帯デバイス保持器のシステム及び同システムの製造方法がここに開示される。一実施形態によれば、調整可能携帯デバイス保持器は、携帯デバイスを当該調整可能携帯デバイス保持器に取り外し可能に固定するための調整可能クランプ要素と当該調整可能クランプ要素に付着された回転可能取り付け要素とを含む。調整可能クランプ要素は、複数の異なるサイズの携帯デバイスの一つを調整可能携帯デバイス保持器に固定するべくアクティブ状態への偏り及び非アクティブ状態への偏り解除が可能である。調整可能クランプ要素に付着された回転可能取り付け要素は、それぞれが互いから特定の距離だけ離間して当該回転可能取り付け要素の底面から特定の角度に延びる複数の取り付けアームを含む。複数の取り付けアームの各対が互いの間に取り付けスロットを形成する。回転可能取り付け要素は回転して、垂直、水平又は対角配向の第１取り付けスロットと、垂直、水平又は対角配向の第２取り付けスロットとを、垂直、水平若しくは対角配向の第１取り付け面又は垂直、水平若しくは対角配向の第２取り付け面に係合させるべく位置決めすることができる。
【０００８】
他の実施形態において、典型的調整可能携帯デバイス保持器を製造するプロセスが開示される。プロセスは、複数の携帯デバイスサイズの一つを調整可能携帯デバイス保持器に固定するべくアクティブ状態への偏り及び非アクティブ状態への偏り解除が可能な調整可能クランプ要素を設けることを含む。プロセスはまた、複数の取り付けアームを含む回転可能取り付け要素を設けることであって、各取り付けアームが互いから特定の距離だけ離間して当該回転可能取り付け要素の底面から特定の角度に延びることも含む。複数の取り付けアームの各対が互いの間に取り付けスロットを形成する。回転可能取り付け要素は回転して、垂直、水平又は対角配向の第１取り付けスロットと、垂直、水平又は対角配向の第２取り付けスロットとを、垂直、水平若しくは対角配向の第１取り付け面又は垂直、水平又は対角配向の第２取り付け面に係合させるべく位置決めすることができる。プロセスはまた、回転可能取り付け要素を調整可能クランプ要素に付着することも含む。
【０００９】
本開示に係る上述の及び他の目的、特徴及び利点が、ここに開示される典型的実施形態の以下の詳細な説明から容易に明らかとなる。
【図面の簡単な説明】
【００１０】
添付図面を参照して、本願の実施形態が例示としてのみ開示される。
【００１１】
【図１】一実施形態に係る、非アクティブ状態とも称される引き込み設定の調整可能携帯デバイス保持器を例示する。
【図２】一実施形態に係る、アクティブ状態とも称される拡張設定の調整可能携帯デバイス保持器を例示する。
【図３】一実施形態に係る引き込み設定の調整可能携帯デバイス保持器を例示する。
【図４】図４Ａ及び４Ｂは、一実施形態に係る、デバイス及び取り付け面に付着された調整可能携帯デバイス保持器を例示する。
【図５】一実施形態に係る典型的調整可能携帯デバイス保持器の製造プロセスのフローチャートを例示する。
【発明を実施するための形態】
【００１２】
わかることだが、例示の簡潔性及び明確性を目的として、適切とみなされる場合、参照番号が複数の図の間で、対応する又は類似の要素を示すべく繰り返される。加えて、ここに記載の典型的実施形態の完全な理解を与えるべく、多数の具体的な詳細が記載される。しかしながら、ここに記載の典型的実施形態が、かかる具体的な詳細がなくとも実施できることは、当業者に理解される。他の例において、ここに記載の実施形態が不明瞭とならないように、方法、手順及びコンポーネントが詳細には記載されない。
【００１３】
本明細書に記載の調整可能携帯デバイス保持器は、回転可能取り付け要素に付着された調整可能クランプ要素を含むことができる。調整可能携帯デバイス保持器は、携帯デバイスを取り付け面に付着しかつ取り付けるべく使用することができる。携帯デバイスは、調整可能クランプ要素に嵌まる任意のデバイスであり得る。当該デバイスは、調整可能クランプ要素に嵌まり込むことができるスマートフォン若しくは他の電話機、タブレット、電子書籍リーダー、パワーバンク、スピーカー、マルチメディアプレーヤー、懐中電灯若しくは他の照明器、テレビ若しくは他の表示器、レーザー若しくはレーダー検出器、空気清浄器、ファン、飲料、又は他のデバイスを含むがこれらに限られない。調整可能携帯デバイス保持器は、様々な取り付け面に取り付けることができる。当該取り付け面は、自動車空調器通気孔ブレード、自動車ダッシュボード、自動車サンバイザー、クレジットカード、帽子のつば、カウンター、三脚、自転車、バックパック、道具、棚、又は他の表面を含むがこれらに限られない。
【００１４】
図１は、一実施形態に係る引き込み設定の調整可能携帯デバイス保持器１００を例示する。調整可能携帯デバイス保持器１００は、回転可能取り付け要素１０４に付着された調整可能クランプ要素１０２を含む。
【００１５】
図２は、一実施形態に係る拡張設定の調整可能携帯デバイス保持器１００を例示する。調整可能携帯デバイス保持器１００は、回転可能取り付け要素１０４に付着された調整可能クランプ要素１０２を含む。
【００１６】
図３は、一実施形態に係る引き込み設定の調整可能携帯デバイス保持器１００を例示する。調整可能携帯デバイス保持器１００は、回転可能取り付け要素１０４に付着された調整可能クランプ要素１０２を含む。
【００１７】
図１〜３に例示される調整可能クランプ要素１０２は、異なるサイズのデバイスを調整可能携帯デバイス保持器１００に付着させるべく、拡張及び引き込みが可能である。調整可能クランプ要素１０２をアクティブ状態（図２に示される）へと拡張又は偏らせるべく力を及ぼすことができる。当該力は、調整可能クランプ要素１０２を非アクティブ状態（図１及び３に示される）へと引き込むべく解放することができる。調整可能クランプ要素１０２には、圧縮又はねじりばねのような弾性的引き込み又は付勢要素（図示せず）を組み入れることができる。圧縮又はねじりばねにより、調整可能クランプ要素１０２の表面への拡張力を及ぼし又は解放するときに、調整可能クランプ要素１０２の拡張及び引き込みが容易となる。
【００１８】
調整可能クランプ要素１０２はまた、調整可能クランプ要素１０２内に固定されたデバイスに対する良好な把持、良好な視認角度、又は良好な付着を与えるべく、調整可能クランプ要素１０２の表面上に把持材料を含み得る。把持材料は、調整可能クランプ要素１０２の一部分に適用することができる。または、調整可能クランプ要素１０２全体を当該把持材料から作ることもできる。把持材料は、調整可能クランプ要素１０２の把持面と調整可能クランプ要素１０２内に固定されたデバイスの表面との間の接着、把持又は摩擦係数を増加させる任意の材料であり得る。把持材料は、調整可能クランプ要素１０２の把持面と調整可能クランプ要素１０２内に固定されたデバイスの表面との間の接着、把持又は摩擦係数を増加させることができるゴム、ポリマー材料若しくは他のプラスチック、金属、合金、織物、複合材料、又は他の材料を含み得るがこれらに限られない。把持材料及び把持面は、ざらざらにすること、及び同じ又は異なる材料から構成することができる。
【００１９】
図１〜３に例示される回転可能取り付け要素１０４は、直接的に又は間接的に調整可能クランプ要素１０２に付着することができる。調整可能クランプ要素１０２及び回転可能取り付け要素１０４は、一つの一体部品とすること、又は、回転可能取り付け要素１０４の回転を許容する任意の付着手段によって一緒に付着された複数のコンポーネント部品とすることができる。回転可能取り付け要素１０４は、ベースプレート１０６と、ベースプレート１０６から延びる複数の取り付けアーム１０８とを含む。ベースプレート１０６及び複数の取り付けアーム１０８は、一つの一体部品とすること、又は、任意と付着手段によって一緒に付着された複数のコンポーネント部品とすることができる。
【００２０】
図３を参照すると、ベースプレート１０６は、時計回り又は反時計回りに３６０度回転可能な円筒形状の円板又は他の要素とすることができる。ベースプレート１０６により回転台が得られ、当該回転台から複数の取り付けアーム１０８が延びる。複数の取り付けアーム１０８は、ベースプレート１０６上で互いに対して特定の距離だけ離間する。複数の取り付けアーム１０８はまた、ベースプレート１０６に対して特定の角度をなしてベースプレート１０６から延びる。複数の取り付けアーム１０８のサイズ、取り付けアーム１０８同士の間の距離、及び取り付けアーム１０８がベースプレート１０６から延びる角度によって、取り付けスロット１１０、１１２が取り付けアーム１０８の複数対間に確立かつ画定される。回転可能取り付け要素１０４は、任意数の取り付けアーム１０８及び任意数の取り付けスロット１１０、１１２を含み得る。
【００２１】
複数の取り付けアーム１０８はまた、取り付けアーム１０８同士の間に固定された取り付け面に対する良好な把持、良好な視認角度、又は良好な付着を与えるべく、取り付けアーム１０８の表面上に把持材料を含み得る。把持材料は、取り付けアーム１０８の一部分に適用することができる。または、取り付けアーム１０８全体を当該把持材料から作ることもできる。把持材料は、取り付けアーム１０８の把持面と取り付けアーム１０８同士の間に固定された取り付け面との間の接着、把持又は摩擦係数を増加させる任意の材料であり得る。把持材料は、取り付けアーム１０８の把持面と取り付けアーム１０８同士の間に固定された取り付け面との間の接着、把持又は摩擦係数を増加させることができるゴム、ポリマー材料若しくは他のプラスチック、金属、合金、織物、複合材料、又は他の材料を含み得るがこれらに限られない。把持材料及び把持面は、ざらざらにすること、及び同じ又は異なる材料から構成することができる。
【００２２】
一の典型的実施形態において、回転可能取り付け要素１０４は、４つの取り付けアーム及び４つの取り付けスロットを含む。他の典型的実施形態において、回転取り付け要素１０４は、６つの取り付けアーム及び６つの取り付けスロットを含む。
【００２３】
取り付けアーム１０８及び取り付けスロット１１０、１１２は、調整可能携帯デバイス保持器１００を取り付ける取り付け面（図示せず）に係合し得る。調整可能携帯デバイス保持器１００は、取り付け面を、２以上の取り付けアーム１０８に係合するように一以上の取り付けスロット１１０、１１２内に位置決め、圧力嵌め又は割り込みすることによって取り付け面に取り付けられる。調整可能携帯デバイス保持器１００は、様々な取り付け面に取り付けることができる。当該取り付け面は、２以上の取り付けアーム１０８同士の間の一以上の取り付けスロット１１０、１１２内に位置決め、圧力嵌め又は割り込みすることができる自動車空調器通気孔ブレード、自動車ダッシュボード、自動車サンバイザー、クレジットカード、帽子のつば、カウンター、三脚、自転車、バックパック、道具、棚、又は他の表面を含むがこれらに限られない。
【００２４】
回転可能取り付け要素１０４は、任意数の取り付けスロット１１０、１１２を形成かつ画定する任意数の取り付けアーム１０８を含み得る。図１〜３からわかるように、取り付けアーム１０８の複数対間に形成された取り付けスロット１１０、１１２のサイズ及び形状は、対にされた取り付けアーム１０８のサイズ及び形状、当該対の取り付けアーム１０８同士の間の距離、及び、２つの取り付けアーム１０８がベースプレート１０６から延びて互いに収束する角度を調整することによって制御することができる。描かれるように、各取り付けアーム１０８及び取り付けスロット１１０、１１２は、回転可能取り付け要素１０４の底面から離れる方向に細くなる。回転可能取り付け要素１０４は、異なるサイズの取り付け面を収容するべく、一以上の異なるサイズの取り付けスロット１１０、１１２を含み得る。例えば図３において、間隙Ａを有する一の取り付けスロット１１０を、間隙Ｂを有する他の取り付けスロット１１２よりも大きくすることができる。回転可能取り付け要素１０４に形成された取り付けスロット１１０の一以上は、回転可能取り付け要素１０４に形成された他の取り付けスロット１１２よりも大きな取り付け面を収容することができる。回転可能取り付け要素１０４は、取り付けアーム１０８及び取り付けスロット１１０、１１２を水平面、垂直面、対角面、円形面、凹面、凸面、又は重力に関する垂直面及び水平面間の任意の平面内で位置決めするべく、回転することができる。取り付けアーム１０８及び取り付けスロット１１０、１１２は、任意の係合面内に取り付け面を、取り付け要素１０４が３６０度回転する範囲内で位置決めすることができる。回転可能取り付け要素１０４は、間隙Ａの相対的に大きな取り付けスロット１１０を水平、垂直、対角、円形、凹又は凸の面内で位置決めして水平、垂直、対角、円形、凹又は凸の係合面内の相対的に大きな取り付け面に係合させるべく、回転することができる。回転可能取り付け要素１０４はまた、間隙Ｂの相対的に小さな取り付けスロット１１２を水平、垂直、対角、円形、凹又は凸の面内で位置決めして水平、垂直、対角、円形、凹又は凸の係合面内の相対的に小さな取り付け面に係合させるべく、回転することもできる。
【００２５】
回転可能取り付け要素は、水平面、垂直面、対角面、円形面、凹面、凸面、又は垂直面及び水平面間の任意の平面内にある異なるサイズの取り付け面に係合するべく、時計回り又は反時計回りに３６０度回転することができる。調整可能クランプ要素１０２を介して調整可能携帯デバイス保持器１００に付着されたデバイスはまた、調整可能携帯デバイス保持器１００に付着されている間、回転可能取り付け要素１０４を回転させることによって時計回り又は反時計回りに３６０度回転することができる。
【００２６】
図４Ａ及び４Ｂは、一実施形態に係る、デバイス２１４及び取り付け面２１６に付着された調整可能携帯デバイス保持器２００を例示する。デバイス２１４はスマートフォンであり、かつ、取り付け面２１６は自動車空調器通気孔ブレードである。
【００２７】
タブレット、電子書籍リーダー、パワーバンク、スピーカー、マルチメディアプレーヤー、懐中電灯若しくは他の照明器、テレビ若しくは他の表示器、レーザー若しくはレーダー検出器、空気清浄器、ファン、飲料、又は他のデバイスを含むがこれらに限られない他の携帯デバイスもまた、調整可能クランプ要素に嵌まることができる。調整可能携帯デバイス保持器２００はまた、自動車空調器通気孔ブレード、自動車ダッシュボード、自動車サンバイザー、クレジットカード、帽子のつば、カウンター、三脚、自転車、バックパック、道具、棚、又は他の表面を含むがこれらに限られない他の取り付け面にも取り付けることができる。
【００２８】
調整可能携帯デバイス保持器２００は、回転可能取り付け要素２０４に付着された調整可能クランプ要素２０２を含む。調整可能クランプ要素２０２は、異なるサイズのスマートフォンを調整可能携帯デバイス保持器２００に付着させるべく拡張及び引き込みが可能である。調整可能クランプ要素２０２をアクティブ状態へと拡張又は偏らせるべく力を及ぼすことができる。当該力は、調整可能クランプ要素２０２を非アクティブ状態へと引き込んでスマートフォン２１４まわりをクランプするべく解放することができる。圧縮又はねじりばねのような弾性的引き込み又は付勢要素（図示せず）を、調整可能クランプ要素２０２に組み入れることにより、調整可能クランプ要素２０２の拡張及び引き込みを容易として異なるサイズのスマートフォンを収容することができる。
【００２９】
調整可能クランプ要素２０２はまた、調整可能クランプ要素２０２内に固定されたスマートフォン２１４又は他のデバイスに対する良好な把持、良好な視認角度、又は良好な付着を与えるべく、調整可能クランプ要素２０２の表面上に把持材料を含み得る。把持材料は、調整可能クランプ要素２０２の一部分に適用することができる。または、調整可能クランプ要素２０２全体を当該把持材料から作ることもできる。把持材料は、調整可能クランプ要素２０２の把持面と調整可能クランプ要素２０２内に固定されたデバイスの表面との間の接着、把持又は摩擦係数を増加させる任意の材料であり得る。把持材料は、調整可能クランプ要素２０２の把持面と調整可能クランプ要素２０２内に固定されたデバイスの表面との間の接着、把持又は摩擦係数を増加させることができるゴム、ポリマー材料若しくは他のプラスチック、金属、合金、織物、複合材料、又は他の材料を含み得るがこれらに限られない。把持材料及び把持面は、ざらざらにすること、及び同じ又は異なる材料から構成することができる。
【００３０】
回転可能取り付け要素２０４は、直接的に又は間接的に調整可能クランプ要素２０２に付着することができる。調整可能クランプ要素２０２及び回転可能取り付け要素２０４は、一つの一体部品とすること、又は、回転可能取り付け要素２０４の回転を許容する任意の付着手段、例えばねじ、ラチェット、ピン、ロッド、又は摩擦若しくは他のデバイスによって一緒に付着された複数のコンポーネント部品とすることができる。回転可能取り付け要素２０４は、ベースプレート２０６と、ベースプレート２０６から延びる複数の取り付けアーム２０８とを含む。ベースプレート２０６及び複数の取り付けアーム２０８は、一つの一体部品とすること、又は、任意と付着手段によって一緒に付着された複数のコンポーネント部品とすることができる。
【００３１】
ベースプレート２０６は、時計回り又は反時計回りに３６０度回転可能な円筒形状の円板又は他の要素とすることができる。ベースプレート２０６により回転台が得られ、当該回転台から複数の取り付けアーム２０８が延びる。複数の取り付けアーム２０８は、ベースプレート２０６上で互いに対して特定の距離だけ離間する。複数の取り付けアーム２０８はまた、ベースプレート２０６に対して特定の角度をなしてベースプレート２０６から延びる。取り付けアーム２０８のサイズ、取り付けアーム２０８同士の間の距離、及び取り付けアーム２０８がベースプレート２０６から延びる角度によって、取り付けスロット２１０、２１２が取り付けアーム２０８の複数対間に確立かつ画定される。回転可能取り付け要素２０４は、４つの取り付けアーム２０８及び４つの取り付けスロット２１０、２１２を含む。
【００３２】
取り付けアーム２０８及び取り付けスロット２１０、２１２は、空調器通気孔ブレード２１６に係合かつ付着して調整可能携帯デバイス保持器２００を取り付けることができる。調整可能携帯デバイス保持器２００は、空調器通気孔ブレード２１６の一表面を、２以上の取り付けアーム２０８に係合するように一以上の取り付けスロット２１０、２１２内に位置決め、圧力嵌め又は割り込みすることによって空調器通気孔ブレード２１に取り付けられる。
【００３３】
取り付けアーム２０８はまた、取り付けアーム２０８同士の間に固定された空調器通気孔ブレード２１６に対する良好な把持、良好な視認角度、又は良好な付着を与えるべく、取り付けアーム２０８の一表面上に把持材料を含み得る。把持材料は、取り付けアーム２０８の一部分に適用することができる。または、取り付けアーム２０８全体を当該把持材料から作ることもできる。把持材料は、取り付けアーム２０８の把持面と取り付けアーム２０８同士の間に固定された空調器通気孔ブレード２１６との間の接着、把持又は摩擦係数を増加させる任意の材料であり得る。把持材料は、取り付けアーム２０８の把持面と取り付けアーム２０８同士の間に固定された空調器通気孔ブレード２１６との間の接着、把持又は摩擦係数を増加させることができるゴム、ポリマー材料若しくは他のプラスチック、金属、合金、織物、複合材料、又は他の材料を含み得るがこれらに限られない。把持材料及び把持面は、ざらざらにすること、及び同じ又は異なる材料から構成することができる。
【００３４】
回転可能取り付け要素２０４は、異なるサイズの空調器通気孔ブレード２１６又は他の取り付け面を収容する２つの異なるサイズの取り付けスロット２１０、２１２を含む。間隙Ａを有する２つの取り付けスロット２１０は、間隙Ｂを有する他の２つの取り付けスロット２１２よりも大きい。
【００３５】
回転可能取り付け要素２０４は、取り付けアーム２０８及び取り付けスロット２１０、２１２を水平、垂直、対角、円形、凹、凸、又は垂直面及び水平面間の任意の面内で位置決めして水平、垂直、対角、円形、凹、凸、又は垂直面及び水平面間の任意の面内に配向された空調器通気孔ブレード２１６に係合させるべく、回転することができる。取り付けアーム２０８及び取り付けスロット２１０、２１２は、取り付け要素２０４の３６０度回転範囲内にある任意の係合面内で空調器通気孔ブレードに付着するべく位置決めされ得る。回転可能取り付け要素２０４は、間隙Ａの大きな取り付けスロット２１０を水平、垂直、対角、円形、凹、凸、又は垂直面及び水平面間の任意の面内に位置決めして水平、垂直、対角、円形、凹、凸、又は垂直面及び水平面間の任意の面内に配向された大きな空調器通気孔ブレード２１６に係合又は付着させるべく、回転することができる。回転可能取り付け要素２０４はまた、間隙Ｂの小さな取り付けスロット２１２を水平、垂直、対角、円形、凹、凸、又は垂直面及び水平面間の任意の面内で位置決めして水平、垂直、対角、円形、凹、凸、又は垂直面及び水平面間の任意の面内に配向された小さな空調器通気孔ブレード２１６に係合又は付着させるべく、回転することができる。
【００３６】
回転可能取り付け要素２０４は、水平、垂直、対角、円形、凹、凸、又は重力に関する垂直面及び水平面間の任意の平面内で異なるサイズの取り付け面に係合するべく、時計回り又は反時計回りに３６０度回転することができる。調整可能携帯デバイス保持器２００に付着されたスマートフォン２１４は、回転可能取り付け要素２０４を回転させることにより、縦方向（図４Ａに示される）及び横方向（図４Ｂに示される）に回転することができる。調整可能携帯デバイス保持器２００に付着されたスマートフォン２１４が、調整可能携帯デバイス保持器２００に付着されている間、スマートフォン２１４及び調整可能クランプ要素２０２を回転させることによって時計回りに又は反時計回りに３６０度回転することができる一方、回転可能取り付け要素２０４は取り付け面に固定されている。
【００３７】
図５は、一実施形態に係る典型的調整可能携帯デバイス保持器の製造プロセスのフローチャートを例示する。ステップ３０１においてプロセスは、携帯デバイスを調整可能携帯デバイス保持器に取り外し可能に固定する調整可能クランプ要素を設けることを含む。調整可能クランプ要素は、複数の異なるサイズの携帯デバイスの一つを調整可能携帯デバイス保持器に固定するべくアクティブ状態への偏り及び非アクティブ状態への偏り解除が可能である。例えば、調整可能携帯デバイス保持器を製造するべく、２つのステンレス鋼ロッドを、二重射出成形金型の拡張可能アームキャビティに挿入することができる。当該ロッドが所定位置に保持されて調整可能クランプ要素の拡張可能アーム、本体及びカバーが作られるように、ＰＣ／ＡＢＳが金型のキャビティ内に射出される。その後、金型が回転されてＴＰＥが射出され、拡張可能アームの側方把持部、及び調整可能クランプ要素の本体が形成される。ステンレス鋼ばねが、各ロッドまわりに挿入され、かつ、当該ロッドの端に固着されたステンレス鋼ねじによって所定位置に保持される。グリースが、当該ばね及びロッドの下方部分（ねじ頭近く）に添加される。拡張可能アームが当該本体に挿入され、かつ、当該ばねが下げられて調整可能クランプ要素の本体内の所定位置に保持される。カバーがその後、当該本体上を摺動して調整可能アームを所定位置に保持する。
【００３８】
調整可能クランプ要素又はその表面はまた、ゴム、ポリマー材料若しくは他のプラスチック、金属、合金、又は、剛体、半剛体若しくはざらざらの複合材料から形成することもできる。
【００３９】
ステップ３０２においてねじ、ラチェット、ピン、ロッド、又は摩擦若しくは他の付着手段を介して調整可能クランプ要素に付着される回転可能取り付け要素が設けられる。回転可能取り付け要素は、それぞれが互いから特定の距離だけ離間して当該回転可能取り付け要素の底面から特定の角度に延びる複数の取り付けアームを含む。複数の取り付けアームの各対が互いの間に取り付けスロットを形成する。回転可能取り付け要素は回転して、垂直、水平又は対角配向の第１取り付けスロットと、垂直、水平又は対角配向の第２取り付けスロットとを、垂直、水平若しくは対角配向の第１取り付け面又は垂直、水平若しくは対角配向の第２取り付け面に係合させるべく位置決めすることができる。
【００４０】
例えば、回転可能取り付け要素の全体又は一部分は、ステンレス金属若しくは他の金属、合金、又はプラスチックのシートをスタンピングしてクリップ又はベースプレートを形成することによって形成することができる。４つのアームが、当該ベースプレートから延び、特定の距離だけ離間され、及び所望角度だけ曲げられる。金属又は他の熱処理可能材料では、回転可能取り付け要素は、剛構造を形成するべく熱処理を行うことができる。回転可能取り付け要素又はその表面はまた、ゴム、ポリマー材料若しくは他のプラスチック、金属、合金、又は、剛体、半剛体若しくはざらざらの複合材料から形成することもできる。
【００４１】
回転可能取り付け要素を調整可能クランプ要素に付着させる亜鉛合金ナット又は他の合金若しくは材料を、ダイカスト成形金型を使用して形成することができる。当該ナットのキャビティには接着材が添加される。回転可能取り付け要素は、当該ナット及び第２ステンレスねじを介して調整可能クランプ要素の本体に固着される。回転可能取り付け要素の回転力をモニタリングするべくフォースゲージが使用されて、ねじがきつすぎ又は緩すぎる場合には当該回転可能取り付け要素が調整される。
【００４２】
一のスカート及び４つのソックスを作るべくＴＰＥが金型に射出される。一のスカート及び４つのソックスはまた、ゴム、ポリマー材料若しくは他のプラスチック、金属、合金、又は、剛体、半剛体若しくはざらざらの複合材料から形成することもできる。スカートは、回転可能取り付け要素の取り付けアームまわりに組み付けられる。回転可能取り付け要素の各取り付けアームには接着材が添加される。スカートを所定位置に保持するソックスが、各取り付けアームまわりに挿入される。
【００４３】
調整可能携帯デバイス保持器のシステム及び方法についての典型的実施形態が上述された。開示の典型的実施形態に対する様々な修正及び逸脱が当業者に想起される。本開示の要旨内にあると意図される主題は以下の特許請求の範囲に記載される。
【図１】
0005976238.tif 000002
【図２】
0005976238.tif 000003
【図３】
0005976238.tif 000004
【図４】
0005976238.tif 000005
【図５】
0005976238.tif 000006